(57)【特許請求の範囲】
【請求項１】
入浴者が載上される載上部と、
該載上部を分離可能に支持して移送するとともに入浴装置に連結されて該入浴装置との間で前記載上部を受け渡しする移送部と、
該移送部と前記入浴装置との連結を解除する連結解除手段と、
前記載上部を前記移送部に対して分離不能になるようロック状態になすロック機構と、を備えた入浴用移送装置であって、
前記移送部には、前記入浴装置の被係止部に係止することで前記移送部と前記入浴装置とを連結する係止部材が設けられ、
前記連結解除手段は、前記被係止部に対する前記係止部材の係止を解除操作する係止解除操作部を有し、前記移送部が前記入浴装置に連結された状態で且つ前記載上部と前記移送部とがロック状態にないときは、前記係止解除操作部による前記移送部と前記入浴装置との連結解除を不能とする規制手段を設けたことを特徴とする入浴用移送装置。
【請求項２】
前記入浴装置は、前記移送部から分離された前記載上部を浴槽の内外間において移動させる入浴リフト装置であることを特徴とする請求項１記載の入浴用移送装置。
【発明の詳細な説明】
【技術分野】
【０００１】
本発明は、介護を必要とする高齢者や身体障害者（以下、入浴者という）の入退浴に使用される入浴用移送装置に関する。
【背景技術】
【０００２】
従来から、移送部と、移送部上に分離可能に載設される載上部と、載上部を移送部に対して移動できないようにロックするロック機構を有する入浴用車椅子を入浴リフト本体に連結した後、載上部を移送部から分離し入浴リフト本体に設けられる昇降板上に移送させて固定し、昇降板ごと浴槽内に下降させ浸漬することで入浴を行う入浴装置が知られている（例えば、特許文献１参照）。
【０００３】
特許文献１の入浴装置によれば、上記のロック機構は、載上部に設けられ手動で上動される掛止具と、移送部に設けられる掛止受部及び阻止具とからなり、阻止具で掛止受部に嵌入した掛止具の移動を阻止するように構成されている。そして、入浴用車椅子が入浴リフト本体に連結しているときは、阻止具が、入浴リフト本体に当接して動作し、掛止具の移動阻止が解除されてロック機構は手動で解除可能となる一方、入浴用車椅子が入浴リフト本体に連結していないときは、阻止具により掛止具の移動が阻止され、ロック機構は手動で解除不可能となり、載上部が移送部に対して確実にロックされる。
【０００４】
よって、載上部を入浴リフト本体の昇降台へ移送させる入浴動作を行うに際し、移送部が入浴リフト本体に連結されていないときは、介助者が誤って掛止具を手動操作したとしても掛止具は抜けずロック機構が解除されないので、載上部が移送部上から転落することはなく入浴動作時の安全性が担保される。
【０００５】
しかしながら、特許文献１の入浴装置において載上部を昇降台から移送部上へ戻す退浴動作を行う際は、ロック機構が未作用の状態であっても介助者が移送部と入浴リフト本体の連結を解除できてしまう機構になっているため、例えば、介助者が退浴動作を急ぐあまりロック機構が確実に作用していることを充分に確認せずに入浴リフト本体と移送部の連結を解除して移送部を動かしてしまうなどの誤操作により載上部が移送部上から転落するという可能性があり、安全面の向上が望まれていた。
【先行技術文献】
【特許文献】
【０００６】
【特許文献１】特開２００９−１６０１６９号公報
【発明の概要】
【発明が解決しようとする課題】
【０００７】
本発明は、このような課題に鑑みてなされたもので、入浴装置からの退浴動作を行う際に介助者の誤操作等による載上部の移送部上からの転落を防止して、入浴者を安全に退浴させることのできる入浴用移送装置を提供することを目的とする。
【課題を解決するための手段】
【０００８】
上記課題を解決するため、本発明は、入浴者が載上される載上部と、該載上部を分離可能に支持して移送するとともに入浴装置に連結されて該入浴装置との間で前記載上部を受け渡しする移送部と、該移送部と前記入浴装置との連結を解除する連結解除手段と、前記載上部を前記移送部に対して分離不能になるようロック状態になすロック機構と、を備えた入浴用移送装置であって、前記移送部には、前記入浴装置の被係止部に係止することで前記移送部と前記入浴装置とを連結する係止部材が設けられ、前記連結解除手段は、前記被係止部に対する前記係止部材の係止を解除操作する係止解除操作部を有する。
【０００９】
また、前記移送部が前記入浴装置に連結された状態で且つ前記載上部と前記移送部がロック状態にないときは、前記係止解除操作部による前記移送部と前記入浴装置との連結解除を不能とする規制手段を設けることを特徴としている。
【００１０】
前記入浴装置は、前記移送部から分離された前記載上部を浴槽の内外間において移動させる入浴リフト装置とすることができる。
【発明の効果】
【００１１】
請求項１記載の発明によれば、移送部が入浴装置に連結された状態で且つ載上部と移送部がロック状態にないときは、係止解除操作部による移送部と入浴装置との連結解除を不能とする規制手段を設けた構成であるから、入浴装置からの退浴動作を行う際に介助者の誤操作により載上部を移送部上から転落させてしまうことを防止でき、入浴者を安全に退浴させることが可能となる。
【００１２】
また、介助者は係止解除操作部を操作しても移送部の連結を解除できないという事象を知ることで、ロック機構が作用していない非ロック状態となっていることを容易に認知することができる。
【００１３】
請求項２記載の発明によれば、移送部から分離された載上部を浴槽の内外間において移動させる入浴リフト装置からの退浴動作を行う際に、介助者の誤操作により載上部を移送部上から転落させてしまうことを防止でき安全性を向上できる。
【図面の簡単な説明】
【００１４】
【図１】本発明の実施形態に係る入浴用移送装置を示す斜視図である。
【図２】本発明の実施形態に係る移送部を示す斜視図である。
【図３】本発明の実施形態に係るロック機構と規制手段を示す部分斜視図である。
【図４】本発明の実施形態に係る入浴装置を示す斜視図である。
【図５】本発明の実施形態に係る入浴用移送装置と入浴装置の連結状態及び連結解除状態を説明する断面図である。
【発明を実施するための最良の形態】
【００１５】
以下、本発明の実施形態を図１〜５を参照して詳細に説明する。図１に示すように、入浴用移送装置１は、入浴者が座位姿勢で載上される載上部２と、載上部２を分離可能に支持して移送する移送部３を有している。入浴装置４は、移送部３から分離された載上部２を不図示の浴槽の内外間において移動させる入浴リフト装置５である（図４参照）。
【００１６】
入浴用移送装置１は、移送部３と、移送部３に分離可能に載設される載上部２と、載上部２を移送部３に対して分離不能にロックするロック機構１１を有している。以下、図１における左側を前部、右側を後部として、入浴用移送装置１の構成を説明する。
【００１７】
図２に示すように、移送部３は、四隅にキャスター１５が配設されるとともに後部側が開放された平面視略コ字状の枠体１６の左右辺位置に前後方向に延在する一対のレール２５が平行に立設されて構成され、後述する載上部２を分離可能に支持するものである。図２中、４５はレール２５の後部終端に設けられ載上部２の後方移動を制止するストッパーである。
【００１８】
前枠１６ａの前方において前枠１６ａと平行に左右方向に延在する棒状の横架材３２が枠体１６に対して回動可能に設けられ、この横架材３２の左右端寄り位置においてブラケット３３が二個固着され、各ブラケット３３に鉤形状の係止部材１８が螺着されている。図５に示すように、入浴用移送装置１を入浴リフト装置５の所定位置に接合することで、係止部材１８が後述する入浴リフト装置５の被係止部１７に係止されて入浴リフト装置５と入浴用移送装置１とが離反しないよう連結される構成となっている。
【００１９】
図１に示すように、載上部２は、移送部３のレール２５上に載設される基枠２１と、この基枠２１に設けられ側面視略Ｌ字状の座部枠２２に座面緩衝材１４及び背部緩衝材２３が各々取着されてなる座部１２と、座部１２の前部に設けられる下肢受け部１３などから構成される。基枠２１の左右側面には複数輪のローラ２４が配設され、載上部２はローラ２４を介して移送部３のレール２５上を前後方向に滑動可能になっている。尚、座部枠２２は支軸２６にて基枠２１に軸着されており、公知のリクライニング機構を介して座部１２及び下肢受け部１３が一体で後傾姿勢となるようリクライニング可能に構成されている。図１ではリクライニング前の状態を示している。
【００２０】
図２、３に示すように、入浴用移送装置１には、載上部２を移送部３に対して分離不能にロックするロック機構１１が設けられている。ロック機構１１は、基枠２１の左後端部において上下方向に進退可能に設けられるピン状部材２７と、このピン状部材２７に固着されてピン状部材２７を手動で上方に引き上げるためのピン操作具２８と、ピン状部材２７と同側のレール２５後端近傍で内方から後方にかけて突出する突出プレート２９に形成されピン状部材２７が嵌入する嵌入穴２９ａとからなる。突出プレート２９は嵌入穴２９ａが形成される部分は水平状面に形成され、この水平状面には前方に向かうに従い下方傾斜する傾斜面が連続形成されている。
【００２１】
基枠２１の左後端部に固定される箱体４９の左右側面には上下方向に長孔５０が形成され、この長孔５０には挿通部材５１が水平に挿通され、挿通部材５１と直交方向にピン操作具２８が固定され、ピン操作具２８は上方に延出して上端部を介助者が握持可能に構成されている（図１、３参照）。
【００２２】
ピン状部材２７には圧縮コイルバネ３１が外嵌され、この圧縮コイルバネ３１によってピン状部材２７は下方向に常時付勢されている。圧縮コイルバネ３１の付勢力に抗してピン操作具２８を上方に持ち上げると、ピン操作具２８と一緒にピン状部材２７も上方向へ動かされる。ピン状部材２７の下端には下端面からローラ４７の一部が突出する態様で回動自在に設けられている。図３は、ピン状部材２７が、嵌入穴２９ａに嵌入しているロック状態を示している。
【００２３】
また、入浴用移送装置１には、係止部材１８の被係止部１７への係止を解除することで、入浴用移送装置１と入浴リフト装置５との連結を解除する連結解除手段３８が設けられている。図２、５に示すように、連結解除手段３８は、左後の後縦枠１６ｂにペダル支持部３４ａがペダル軸３５により回動可能に軸着されペダル部３４ｂを有するペダル３４と、基部がペダル支持部３４ａに軸着されるとともに先部が連結軸３７を介してブラケット３３に連結される金具５２に固定されるリンク棒３６とから構成される。ペダル３４は係止解除操作部４４としての役割を果たす。
【００２４】
図２、５に示すように、リンク棒３６は、前枠１６ａと左枠１６ｃとにわたり斜めに水平に掛け渡される渡し部材１９上に取着されるバネ受け４８に挿通され、バネ受け４８と前述した金具５２との間に設けられた圧縮バネ３０によって通常は前方向に付勢されており、これによりペダル３４に外力が加わらないときは係止部材１８を被係止部１７に係止可能な位置状態に保っている。
【００２５】
また、上述した連結解除手段３８とロック機構１１との間には、入浴用移送装置１の載上部２と移送部３とがロック状態にないとき（即ち、ロック機構１１が作用していないとき）に、連結解除手段３８（係止解除操作部４４）による入浴リフト装置５と移送部３との連結解除ができないように規制する規制手段４６が設けられている。
【００２６】
以下、この規制手段４６の構成について、図３、５を用いて説明する。ペダル支持部３４ａと突出プレート２９の間における枠体１６には規制片３９が回動軸４０により回動可能に軸着され、規制片３９は回動軸４０に介装される捻りバネ４１により通常左回り方向に付勢されている。捻りバネ４１の一端は後縦枠１６ｂに、他端は規制片３９にそれぞれ止着される。規制片３９上端には、水平部４２ａ及び水平部４２ａから前方に向かって下方傾斜する傾斜部４２ｂで形成される側面視への字状の当接板４２が設けられている。
【００２７】
ピン状部材２７が嵌入穴２９ａに嵌入していない場合は、規制片３９は捻りバネ４１に付勢されて、当接板４２が突出プレート２９の直下近接位置で且つ規制片３９の下端面３９ａがペダル支持部３４ａの鉤状端部３４ａａに至近距離で対向する位置となるため、介助者がペダル部３４ｂを踏み込んでもペダル３４が回転しないように回転が規制されている（ピン状部材２７及び規制片３９は、図５の一点鎖線で示す状態にある）。
【００２８】
一方、ピン状部材２７が嵌入穴２９ａに嵌入している場合は、ピン状部材２７の嵌入によってピン状部材２７のローラ４７が当接板４２の水平部４２ａを押圧することで規制片３９が右回り方向に回転し、規制片３９の下面端がペダル支持部３４ａの鉤状端部３４ａａから離間することになるため、ペダル３４の回転が許容されることになる（ピン状部材２７及び規制片３９は、図５の実線で示す状態になる）。
【００２９】
このとき、ペダル３４のペダル部３４ｂを踏み込むことでペダル３４がペダル軸３５を支点に右回り方向に回転し、この結果、リンク棒３６が後方に引かれて係止部材１８が被係止部１７から外れる方向に回転する（ペダル３４及び係止部材１８は、図５の二点鎖線で示す状態になる）。
【００３０】
図４に示すように、入浴リフト装置５は、浴槽縁周囲の床面に設置される設置部６と、この設置部６に対し左右の幅方向に所定間隔を隔てて平行配置されるとともに設置部６から浴槽内の下方に向かって延び終端側が浴槽の内底面に載置される一対のフレーム７と、各フレーム７の外表面に当接して転動する不図示の転動子を有しフレーム７に沿って昇降移動する昇降部８を備えている。図示及び詳細な説明は省略するが、入浴リフト装置５の昇降部８と設置部６にわたって昇降部８をフレーム７に沿って昇降移動させる駆動モータ、帯状ベルト、ベルト巻回プーリなどから構成される昇降移動手段が設けられている。
【００３１】
設置部６の上方前方に向かって傾斜する左右両側のケーシング９内側には前後方向に延在する左右一組の継ぎレール１０が所定間隔を隔てて平行に並設され、この継ぎレール１０は、移送部３上に分離可能に載設される入浴用移送装置１の載上部２を昇降部８上へと誘導案内するものである。
【００３２】
図４中、４３は載上部２を昇降部８の所定位置へ誘導案内する左右一対のガイドレールであり、左右のガイドレール４３は継ぎレール１０と同等の間隔を有して平行に並設されており、昇降部８が上限位置にて停止している時にガイドレール４３上面と継ぎレール１０上面とが面一となるように設けられている。入浴者が載上される載上部２は設置部６上方前方に向かって傾斜する左右両側のケーシング９の間から継ぎレール１０上を走行し昇降部８上へ移動され固定される。
【００３３】
設置部６の後部左右位置には案内部材２０が設けられ（図５では左位置の案内部材のみが示される）、その下方位置に入浴用移送装置１の係止部材１８が係止される被係止部１７としての受穴が設けられている。よって、案内部材２０に沿って入浴用移送装置１を設置部６の所定位置に接合させると、係止部材１８の先部が受け穴に自動的に嵌入することで入浴用移送装置１と設置部６とが連結される。
【００３４】
次に、入浴用移送装置１の動作について説明する。介助者は、入浴者が載上される入浴用移送装置１を設置部６後方（図４中、右方向）から接近させ、左右一対の案内部材２０に移送部３の枠体１６側部を沿わせながら設置部６の所定位置に入浴用移送装置１を差し込む。これにより、係止部材１８の先部が被係止部１７の受穴に嵌入して移送部３が設置部６に対して連結され、ガイドレール４３、レール２５、及び継ぎレール１０の各上面が略同高且つ一直線状に配置される。
【００３５】
その後、ピン操作具２８を上方に引き、ピン状部材２７を嵌入穴２９ａから抜脱した状態で載上部２を昇降部８方向へ押し遣り、載上部２を継ぎレール１０上を走行通過させて、昇降部８のガイドレール４３上へ移動させる。載上部２がガイドレール４３上の所定位置に至ると不図示のロック装置が作用し、ガイドレール４３に対して載上部２がロック固定される。
【００３６】
ピン状部材２７の嵌入穴２９ａから抜脱により当接板４２の水平部４２ａの押圧が解除され、規制片３９は捻りバネ４１の付勢作用によって回転し、図５中、一点鎖線で示す位置で静止する。
【００３７】
昇降移動手段の駆動モータを駆動させて帯状ベルトをベルト巻回プーリから繰り出し昇降部８をフレーム７に沿って下降移動させる。退浴する場合は、駆動モータを逆駆動させて帯状ベルトをベルト巻回プーリに巻き取ることにより、昇降部８をフレーム７に沿って上昇移動させる。介助者は移送部３の枠体１６内方のスペース部に入り込み、昇降部８と載上部２のロックを解除した後、載上部２を移送部３の方向に引き戻す。
【００３８】
載上部２の最後端のローラ２４がレール２５のストッパー４５に当接する位置まで載上部２が戻り切っていないときはピン状部材２７が嵌入穴２９ａに嵌入しておらず、載上部２と移送部３とが非ロック状態になっている。このとき、規制片３９の下端面３９ａがペダル支持部３４ａの鉤状端部３４ａａに至近距離で対向しているため、介助者がペダル部３４ｂを踏み込んだとしてもペダル３４は回転しない。
【００３９】
よって、介助者が載上部２と移送部３とがロック状態にないときに、誤って移送部３と入浴リフト装置５との連結を解除しまう心配はなく、載上部２を移送部３上から転落させてしまうことを防止でき、入浴者を安全に退浴させることが可能となる。
【００４０】
一方、載上部２を移送部３のレール２５の後端付近まで戻すと、ピン状部材２７のローラ４７が突出プレート２９上面に当接して転動するようになり、さらに載上部２の最後端のローラ２４が移送部３のストッパー４５に当接する位置まで載上部２を戻すと、ピン状部材２７が圧縮コイルバネ３１作用により下方に付勢され自動的に嵌入穴２９ａに嵌入する。
【００４１】
嵌入穴２９ａへのピン状部材２７の嵌入によりピン状部材２７のローラ４７が当接板４２の水平部４２ａを押圧することで規制片３９が右回り方向に回転する。これにより、規制片３９の下面端３９ａがペダル支持部３４ａの鉤状端部３４ａａから離間しペダル３４の回転が許容され、介助者はペダル３４を踏み込むことで入浴リフト装置５と入浴用移送装置１の連結を解除することができる。
【００４２】
尚、本発明は前述した実施形態に限定されることなく、本発明の趣旨を逸脱しない範囲において適宜変更が可能である。実施形態の入浴用移送装置１には、背景技術の特許文献に開示される入浴用移送装置１が入浴リフト装置５に連結していないときにピン操作具２８を手動操作して嵌入穴２９ａからピン状部材２７を誤って抜いてしまうことを阻止する阻止機構を装備していないが、この阻止機構を装備しても勿論構わない。また、入浴リフト装置５も移送部から分離された載上部を浴槽の内外間において移動できる構成であれば如何なる構成態様のものを採用してもよい。
【００４３】
また、詳細な説明及び図示は省略するが、載上部２を臥位姿勢の入浴者が載上される担架とし、移送部３を担架を分離可能に支持して移送するストレッチャーとし、入浴装置４を、昇降可能な浴槽部と、浴槽部内に設けられ担架を支持する支持部を備えるものとして、ストレッチャーを浴槽部に横付けして連結した状態で、ストレッチャーと支持部との間で担架を受け渡し可能とし、支持部に担架を載置した状態で浴槽部を上昇させることで入浴を行う入浴用移送装置及び入浴装置にも本発明は適用可能である。これにより、ストレッチャーと担架がロック機構によりロックされていないときは、浴槽部とストレッチャーの連結が解除できないので、担架を支持台からストレッチャー側へ戻す退浴動作の際に、ストレッチャーと担架が確実にロックされる前に浴槽部とストレッチャーの連結を解除してしまい担架を転落させてしまう危険性はなくなり、安全性の面でより好ましいものとなる。
【産業上の利用可能性】
【００４４】
本発明は、介護を必要とする入浴者の入退浴に使用される入浴用移送装置に適用できるもので、産業上の利用可能性は高いものである。
【符号の説明】
【００４５】
１  入浴用移送装置
２  載上部
３  移送部
４  入浴装置
５  入浴リフト装置
１１  ロック機構
１７  被係止部
１８  係止部材
３４  ペダル
３８  連結解除手段
３９  規制片
４０  回動軸
４４  係止解除操作部
４６  規制手段
【図１】
0005920915.tif 000002
【図２】
0005920915.tif 000003
【図３】
0005920915.tif 000004
【図４】
0005920915.tif 000005
【図５】
0005920915.tif 000006